(57)【要約】【課題】  製品在庫数を減らす、必要かつ十分の在庫で空気調和機のビジネスチャンスを逸することがない、出荷時に繁雑でない、メーカが不合理な損失を被ることがない空気調和機および空気調和機のビジネスシステムを得る。【解決手段】  能力可変型の圧縮機６と、圧縮機の運転周波数を制御するインバータ５と、インバータに空調負荷に応じた周波数可変制御命令を与えるコントローラ４と、コントローラに接続され、圧縮機に能力制限信号を与える制限信号発生装置１とを備え、制限信号発生装置１は、最大能力値がプログラムされたマイクロコンピュータを搭載し、コントローラ４と情報連携する。【選択図】  図１
2005134008.tif 000002
【特許請求の範囲】
【請求項１】
能力可変型の圧縮機と、
前記圧縮機の運転周波数を制御するインバータと、
前記インバータに空調負荷に応じた周波数可変制御命令を与えるコントローラと、
前記コントローラに接続され、前記圧縮機に能力制限信号を与える制限信号発生装置とを備え、
前記制限信号発生装置は、最大能力値がプログラムされたマイクロコンピュータを搭載し、前記コントローラと情報連携することを特徴とする空気調和機。
【請求項２】
コントローラは、制限信号発生装置と定期的に情報連携することを特徴とする請求項１記載の空気調和機。
【請求項３】
コントローラは、製造番号を記憶する不揮発性記憶手段を備え、制限信号発生装置にプログラムされた最大能力値は、製造番号と最大能力値から一義的に決定される暗号であり、更に前記コントローラは前記暗号と不揮発記憶手段に記憶した前記製造番号から最大能力値を演算する演算手段を備えたことを特徴とする請求項１記載の空気調和機。
【請求項４】
コントローラは、製造番号と最大能力値から一義的に決定される暗号を不揮発性記憶手段に記憶し、制限信号発生装置にプログラムされた最大能力値は、製造番号と最大能力値から一義的に決定される暗号であり、前記コントローラは予め不揮発性記憶手段に記憶している前記暗号と前記制限信号発生装置の値が一致する値を最大能力値とする演算する演算手段を備えたことを特徴とする請求項１記載の空気調和機。
【請求項５】
制限信号発生装置は電子タグであることを特徴とする請求項１〜請求項４のいずれかに記載の空気調和機。
【請求項６】
能力可変型の圧縮機と、
前記圧縮機の運転周波数を制御するインバータと、
前記インバータに空調負荷に応じた周波数可変制御命令を与えるコントローラと、
前記コントローラに設けられ、製造番号を記憶する不揮発性記憶手段と、
前記コントローラに設けられ、製造番号と最大能力値から一義的に決定される暗号から最大能力値を演算する演算手段とを備え、
外部接続された暗号設定手段から前記暗号を得ることを特徴とする空気調和機。
【請求項７】
暗号設定手段はパーソナルコンピュータであることを特徴とする請求項６記載の空気調和機。
【請求項８】
暗号設定手段は通信回線を介していることを特徴とする請求項６記載の空気調和機。
【請求項９】
コントローラは無線による電力受電および通信手段を備え、暗号設定手段と無線により電力受電と、暗号受信とを行なうことを特徴とする請求項６記載の空気調和機。
【請求項１０】
コントローラは太陽電池と無線による通信手段を備え、暗号設定手段と無線により暗号受信を行なうことを特徴とする請求項６記載の空気調和機。
【請求項１１】
コントローラは制御プログラムの書き込みを無線で行なうことを特徴とする請求項９又は請求項１０記載の空気調和機。
【請求項１２】
制限信号発生装置を空気調和機とは別に販売することを特徴とする請求項１〜請求項５のいずれかに記載の空気調和機のビジネスシステム。
【請求項１３】
製造番号と最大能力値から一義的に決定される暗号を空気調和機とは別に販売することを特徴とする請求項６〜請求項１０のいずれかに記載の空気調和機のビジネスシステム。
【請求項１４】
能力可変型の圧縮機と、
前記圧縮機の運転周波数を制御するインバータと、
前記インバータに空調負荷に応じた周波数可変制御命令を与えるコントローラと、
室外機と、
室外機と、を備えた空気調和機において、
前記室内機は能力設定手段と通信手段とを有し、
前記コントローラは前記通信手段を介して前記能力設定手段の値を得て、接続されている全ての前記室内機の総能力に応じて制限能力を演算する演算手段を有することを特徴とする空気調和機。
【請求項１５】
同一の空気調和機を、複数の能力の空気調和機として販売することを特徴とする請求項１４記載の空気調和機のビジネスシステム。
【請求項１６】
機器を制御するコントローラは、製造番号を記憶した不揮発性記憶手段と、電子タグと通信する手段と、複数の制御プログラムと、電子タグから読み取った暗号と不揮発性記憶手段に記憶された製造番号とから暗号がどの制御プログラムを指定しているかを解読する解読プログラムとを備えており、特定の制御プログラムと製造番号から一義的に決定される暗号を記憶した電子タグを販売することを特徴とする機器のビジネスシステム。
【請求項１７】
機器を制御するコントローラは、製造番号を記憶した不揮発性記憶手段と、電子タグと通信する手段と、複数の制御プログラムと、電子タグから読み取った暗号と不揮発性記憶手段に記憶された製造番号とから暗号がどの制御プログラムを指定しているかを解読する解読プログラムと電子タグとを備えており、特定の制御プログラムと製造番号から一義的に決定される暗号を販売することを特徴とする機器のビジネスシステム。
【請求項１８】
電子タグを装着する電子タグ装着手段を備え、この電子タグ装着手段には、電子タグに記憶された仕様内容が印字されていることを特徴とする請求項５記載の空気調和機。
【請求項１９】
電子タグを装着する電子タグ装着手段を備え、この電子タグ装着手段には、電子タグに記憶された仕様内容が印字されていることを特徴とする請求項１６記載の空気調和機のビジネスシステム。
【発明の詳細な説明】
【技術分野】
【０００１】
この発明は、空気調和機および空気調和機のビジネスシステムに関するものである。
【背景技術】
【０００２】
従来の空気調和機においては、コントローラに不揮発性記憶手段を備え、マイコンを実装するプリント基板の組立工程時に前記不揮発性記憶手段に空気調和機の能力を設定している（例えば、特許文献１参照）。
また、コントローラに直列接続された２つの抵抗の分圧回路で、その電圧に応じて空気調和機の能力を可変とし、騒音問題等が発生した場合、現地で抵抗値を変え、圧縮機の最高周波数を下げている（例えば、特許文献２参照）。
【０００３】
【特許文献１】特開平７−１９５８１号公報
【特許文献２】特開平７−２７４０１号公報
【発明の開示】
【発明が解決しようとする課題】
【０００４】
従来の空気調和機は上記のように構成されていたので、以下のような課題があった。
能力可変型の圧縮機と、この圧縮機の運転周波数を制御するインバータと、このインバータに空調負荷に応じた周波数可変制御命令を与えるコントローラと、を備えた空気調和機においては、同一の空気調和機を周波数を下げることで複数の能力の空気調和機としての販売が可能である。しかし、特許文献１のように、プリント基板の組立工程で能力を設定すると、組み立てられた空気調和機は予め設定された能力に固定され、空気調和機本体は共通であるにも関わらず製品在庫数としては変わらないという問題点があった。製品在庫の欠品は空気調和機のビジネスチャンスを失うという問題点がある。
また、大きな空気調和機を輸出する場合、航空機で送付すると莫大な金額となり、船積みで出荷すると時間がかかるため現地での在庫は必須であり、膨大な在庫は金利負担等大きな負担となっている。工場または海外倉庫での空気調和機の在庫状態では共通で、出荷時に能力を設定しようとすると、コントローラへ電源投入する必要がある。梱包および製品パネルの開梱、電源の接続、再度梱包という作業は非常に繁雑である。
また、特許文献２のように、現地で能力を可変できるようにすると、本来必要な能力より低い能力の空気調和機を販売業者が安い価格で購入し、現地で抵抗値を変更し、本来必要な能力を得ることでメーカ側が損失を被るという問題点があった。
【０００５】
この発明は上記のような課題を解決するために為されたもので、製品在庫数を減らす、必要かつ十分の在庫で空気調和機のビジネスチャンスを逸することがない、出荷時に繁雑でない、メーカが不合理な損失を被ることがない空気調和機および空気調和機のビジネスシステムを提供することを目的としている。
【課題を解決するための手段】
【０００６】
この発明における空気調和機においては、能力可変型の圧縮機と、圧縮機の運転周波数を制御するインバータと、インバータに空調負荷に応じた周波数可変制御命令を与えるコントローラと、コントローラに接続され、圧縮機に能力制限信号を与える制限信号発生装置とを備え、制限信号発生装置は、最大能力値がプログラムされたマイクロコンピュータを搭載し、コントローラと情報連携するものである。
【０００７】
また、この発明における空気調和機のビジネスシステムにおいては、制限信号発生装置を空気調和機とは別に販売するものである。
【発明の効果】
【０００８】
この発明は、能力可変型の圧縮機と、この圧縮機の運転周波数を制御するインバータと、このインバータに空調負荷に応じた周波数可変制御命令を与えるコントローラと、を備えた空気調和機においては、同一の空気調和機を周波数を下げることで複数の能力の空気調和機としての販売が可能となり、在庫を減らすことができるとともに欠品によるビジネスチャンス喪失を防止する効果がある。
【発明を実施するための最良の形態】
【０００９】
以下、この発明の実施の形態を図に基づいて詳細説明する。
実施の形態１．
図１はこの発明の実施の形態１に係る空気調和機の構成を示すブロック図、図２はこの発明の実施の形態１に係る空気調和機の冷媒回路図、図３はこの発明の実施の形態１に係る空気調和機の能力可変範囲の表である。
図１において、１は最大能力値がプログラムされたマイクロコンピュータを搭載した制限信号発生装置、２は制限信号発生装置側の接続コネクタ、３はコントローラ側の接続コネクタ、４はインバータに空調負荷に応じた周波数可変制御命令を与えるコントローラ、５は圧縮機の運転周波数を制御するインバータ、６は能力可変型の圧縮機である。
図２において、１０は室外熱交換器、１１は四方弁、１２は室外機、１３は冷媒配管、１４は室内機、１５は室内熱交換器、１６は冷媒流量制御手段である。
図３において、２００は最大能力値表である。
なお、図中１４ａ、１５ａ、１６ａは室内機１号機を、１４ｂ、１５ｂ、１６ｂは室内機２号機をそれぞれ示す。
まず図２について冷媒回路動作を説明する。冷房時は、圧縮機６で圧縮された冷媒は四方弁１１、室外熱交換器１０、冷媒流量制御手段１６、室内熱交換器１５、四方弁１１を経由して圧縮機６へ戻る。暖房時は、四方弁１１が冷媒の方向を変え、図２の矢印とは逆の方向へ冷媒が流れる。室内機１４は室内空調負荷に応じて冷媒流量制御手段１６により冷媒流量を制御する。圧縮機６は必要な冷媒流量を流すようインバータ５にて周波数が制御される。１２馬力の能力を有する能力可変型の圧縮機６および室外熱交換器１０からなる室外機１２は、圧縮機６の周波数を制限することでより小さい能力の室外機、例えば８馬力や１０馬力とすることが可能である。制限信号発生装置１は、図示しないマイクロコンピュータを搭載し、最大能力値がプログラムされている。制限信号発生装置側の接続コネクタ２をコントローラ側の接続コネクタ３に接続することにより、コントローラ４は制限信号発生装置１から最大能力値を得ることができる。コントローラ４は得られた最大能力値に従い、インバータ５の最大周波数を制限して制御する。インバータ５はコントローラ４からの指令の周波数に従い、能力可変型の圧縮機６を制御する。  
この実施の形態１によれば、同一の空気調和機を周波数を下げることで複数の能力の空気調和機としての販売が可能となり、在庫を減らすことができると共に、欠品によるビジネスチャンスの喪失を防止することができる。
【００１０】
実施の形態２．
この実施の形態２の構成・動作は実施の形態１とほぼ同じである。
コントローラ４は定期的に制限信号発生装置１と通信を行い、制限信号発生装置１との通信が行えない場合は、予め設定された最小能力値、例えば図３の最大能力値表２００に従い、８馬力を最大能力として運転を行うようにしたものである。
この実施の形態２によれば、定期的に制限信号発生装置とコントローラが通信するので、１つの制限信号発生装置を購入し、複数の室外機で使用することはできず、不正のない販売が可能である。
【００１１】
実施の形態３．  
図４はこの発明の実施の形態３に係る空気調和機の能力可変範囲および暗号の関係表である。この実施の形態３の構成・動作は実施の形態１とほぼ同じである。
図４において、２００は最大能力値表、２０２は最大能力値と製造番号から暗号を演算する演算式、２０３は製造番号、２０４は最大能力値と製造番号と演算式から演算された暗号である。
コントローラ４は不揮発性記憶手段と最大能力値演算手段とを備える。不揮発性記憶手段には１台毎に異なる製造番号２０３が記憶されている。制限信号発生装置１には最大能力値２００と製造番号２０３と演算式２０２から演算された暗号２０４の１つの暗号がプログラムされている。制限信号発生装置１にプログラムされた最大能力値は、製造番号２０３と最大能力値から一義的に決定される暗号である。コントローラ４は制限信号発生装置１から上記暗号を読み出し、備えられた暗号と不揮発性記憶手段に記憶された製造番号から最大能力値を演算する演算手段により、最大能力値を得る。
この実施の形態３によれば、マイクロコンピュータのプログラムによる制限信号発生装置または暗号の手段で不正を働くことは困難であり、本来必要な能力より低い能力の空気調和機を販売業者が安い価格で購入し、現地で変更し、本来必要な能力を得ることでメーカが損失を被るということは防止できる。
【００１２】
実施の形態４．
この実施の形態４の構成・動作・効果は実施の形態３とほぼ同じである。
コントローラ４は不揮発記憶手段を備え、この不揮発性記憶手段に製造番号２０３と演算式２０２から演算される暗号２０４の全てが記憶されている。そして、制限信号発生装置１には１つの製造番号および１つの最大能力値に対応する暗号２０４がプログラムされている。コントローラ４は制限信号発生装置１から上記暗号を読み出し、記憶された暗号と一致する最大能力値を最大能力値とする。
【００１３】
実施の形態５．  
図５はこの発明の実施の形態５に係る空気調和機の一部構成を示すブロック図である。この実施の形態５の構成・動作は実施の形態４とほぼ同じである。
図５において、２０は電子タグ情報読み取り手段、２１は電子タグ、２２は電子タグ装着手段である。
コントローラ４は電子タグ情報読み取り手段２０を備え、電子タグ装着手段２２により装着された電子タグ２１と情報連携する。この情報連携動作は実施の形態１乃至４と同じである。
この実施の形態５によれば、電子タグ装着手段に電子タグに記憶された仕様内容が記載されているので、電子タグの装着と同時に仕様が明確化され、別途仕様表を貼る必要がないと同時に電子タグ配送時の仕様誤り、電子タグ貼り付け時の仕様誤りが防止できる。
【００１４】
実施の形態６．
図６はこの発明の実施の形態６に係る空気調和機の一部構成を示すブロック図である。この実施の形態６の構成・動作は実施の形態４とほぼ同じである。
図６において、３０はパーソナルコンピュータである。
コントローラ４は、製造番号２０３を不揮発性記憶手段で記憶し、製造番号と最大能力値から一義的に決定される暗号から最大能力値を演算する演算手段を備えている。パーソナルコンピュータ３０は、上記暗号をコントローラ４へ伝達し、コントローラ４はその暗号に従い最大能力値を決定する。
この実施の形態６によれば、パーソナルコンピュータで実行できるので、操作が簡単で容易となる。
【００１５】
実施の形態７．
図７はこの発明の実施の形態７に係る空気調和機の一部構成を示すブロック図である。
この実施の形態７の構成・動作は実施の形態６とほぼ同じである。
図７において、３１は通信回線である。
コントローラ４は、製造番号２０３を不揮発性記憶手段に記憶し、製造番号と最大能力値から一義的に決定される暗号から最大能力値を演算する演算手段を備えている。パーソナルコンピュータ３０は通信回線３１を介して外部接続された暗号設定手段であり、上記暗号をコントローラ４へ伝達し、コントローラ４はその暗号に従い最大能力値を決定する。
この実施の形態７によれば、パーソナルコンピュータは通信回線を介して実行できるので、操作が簡単、容易でかつスピーディとなる。
【００１６】
実施の形態８．  
図８はこの発明の実施の形態８に係る空気調和機の一部構成を示すブロック図である。この実施の形態８の構成・動作は実施の形態４とほぼ同じである。
図８において、４０は設定器、４１は無線による電力送信および信号通信手段、４１は電力受信および信号通信手段である。
設定器４０は、無線による電力送信および信号通信手段４１によって、コントローラ４に電力を送るとともに情報連携する。
この実施の形態８によれば、無線による電力送信および信号通信手段を用いることにより、倉庫からの出荷時点で空気調和機の梱包を開け、電源接続することなしに能力の設定が可能となり、作業時間が短縮される。
【００１７】
実施の形態９．
図９はこの発明の実施の形態９に係る空気調和機の一部構成を示すブロック図である。この実施の形態９の構成・動作は実施の形態４とほぼ同じである。
図９において、４０は設定器、４１は無線による信号通信手段、４２は無線による信号通信手段、４３は太陽電池である。
コントローラ４は太陽電池４３により電力を確保し、設定器４０は、無線による信号通信手段４１によって、コントローラ４と情報連携する。
この実施の形態９によれば、太陽電池を用いることにより、倉庫からの出荷時点で空気調和機の梱包を開け、電源接続することなしに能力の設定が可能となり、作業時間が短縮される。
【００１８】
実施の形態１０．
図１０はこの発明の実施の形態１０に係る空気調和機のビジネスシステムを示すブロック図である。
図１０において、能力可変型の室外機１２は、制限信号発生装置１が接続されない場合は、表２００の最大能力値表の最小値である８馬力として動作するようにプログラムされ、最小能力の８馬力の空調機として販売、在庫される。
制限信号発生装置１は表２００の最大能力値表の最小値以外の能力である１０馬力および１２馬力にプログラムされ、それぞれ８馬力空気調和機との差額の価格で制限信号発生装置として販売、在庫される。
この実施の形態１０によれば、例えば大きな空気調和機を輸出する場合、現地には共通の室外機を在庫し、必要に応じて、制限信号発生装置を航空便で送付することで欠品を起こすことなく最小の在庫を実現することができ効果は大きい。
【００１９】
実施の形態１１．
図１１はこの発明の実施の形態１１に係る空気調和機のビジネスシステムを示すブロック図である。
図１１において、能力可変型の室外機１２は、製造番号と最大能力値から一義的に決定される暗号が設定されない場合は、表２００の最大能力値表の最小値である８馬力として動作するようにプログラムされ、最小能力の８馬力の空調機として販売、在庫される。
表２００の最大能力値表の最小値以外の能力である１０馬力および１２馬力と製造番号とから一義的に決定される暗号２０５を、それぞれ８馬力空気調和機との差額の価格で販売される。
この実施の形態１１によれば、例えば大きな空気調和機を輸出する場合、現地には共通の室外機を在庫し、必要に応じて、暗号を電子手段で送付することで欠品を起こすことなく最小の在庫を実現することができ効果は大きい。
【００２０】
実施の形態１２．
図１２はこの発明の実施の形態１２に係る空気調和機の構成を示すブロック図、図１３はその動作フローチャートである。
図１２において、５０は能力設定手段、５１は通信媒体である。
室内機１４は能力設定手段５０にて設定された室内機の能力を通信媒体５１を介してコントローラ４へ送信する。
また、ステップＳ１００において、コントローラ４は通信媒体５１を介して接続されている全ての室内機の能力を合計する。ステップＳ１０１において、表２００と、室内機能力合計値に従い最大能力値を決定する。
この実施の形態１２によれば、例えば１２馬力の能力がある室外機に合計１０馬力の室内機を接続した場合、外気温度が高い冷房等高負荷状態においては、能力を確保するために室外機は圧縮機の周波数を上げ、１０馬力以上の電流が流れる場合があるが、この実施の形態においては、室外機は接続された全室内機能力を通信手段で把握し、最大能力を制限するので、能力を設定することなく、最大の電流値が制限され、動力線の線径は必要十分な値に制限される。従って、無設定で１２馬力の室外機を１０馬力として販売し、動力線も１０馬力相当の配線でよく、無駄な配線費用が抑えられる効果がある。
【００２１】
実施の形態１３．
この実施の形態１３の構成・動作・効果は実施の形態１２とほぼ同じである。
能力可変型の室外機１２は、特別な設定をすることなく、複数の能力の室外機として販売される。
【００２２】
実施の形態１４．  
図１４はこの発明の実施の形態１４に係る制御プログラムと暗号の関係表、図１５はこの発明の実施の形態１４に係る空気調和機の一部構成を示すブロック図、図１６はこの発明の実施の形態１４に係る空気調和機の機器と電子タグを別売する空気調和機のビジネスシステムを示すブロック図である。
機器２１５のコントローラ４には、製造番号２１３を記憶した不揮発性記憶手段５２と、電子タグ２１と通信する手段２０と、複数の制御プログラム２１０と、図１５に関係を示したように電子タグ２１から読み取った暗号２１４と不揮発性記憶手段５２に記憶された製造番号２１３とから暗号がどの制御プログラムを指定しているかを解読する解読プログラム２１２とを備えている。制御プログラムを指定する電子タグ２１を搭載しない機器２１５を共通機器として販売、在庫する。Ａ仕様、Ｂ仕様、Ｃ仕様を特定する暗号を記憶させた電子タグ２１Ａ、２１Ｂ、２１Ｃは機器２１５とは別に電子タグとして販売、在庫する。顧客からの要求に応じた仕様の電子タグ２１と機器２１５を販売する。電子タグ２１を電子タグ装着手段２２によりコントローラ４の電子タグ読み取り手段２０の部位に装着する。
この実施の形態１４によれば、電子タグ装着手段に電子タグに記憶された仕様内容が記載されているので、電子タグの装着と同時に仕様が明確化され、別途仕様表を貼る必要がないと同時に電子タグ配送時の仕様誤り、電子タグ貼り付け時の仕様誤りが防止できる。また、空気調和機の機器と電子タグを別売する空気調和機のビジネスシステムを構築することで、空気調和機のビジネスチャンスを拡大することができる。
【００２３】
実施の形態１５．
図１７はこの発明の実施の形態１５に係る電子タグを装着した機器と暗号を販売するビジネスシステムを示すブロック図、図１８は機器へ暗号を設定するシステム図である。
機器２１５には、製造番号２１３を記憶した不揮発性記憶手段５２と、電子タグ２１と通信する手段２０と、電子タグ装着手段２２により装着された電子タグ２１と、複数の制御プログラム２１０と、電子タグ２１から読み取った暗号２１４と不揮発性記憶手段５２に記憶された製造番号２１３とから暗号がどの制御プログラムを指定しているかを解読する解読プログラム２１２とを備えている。制御プログラムを指定していない電子タグ２１を搭載した機器２１５を共通機器として販売、在庫する。Ａ仕様、Ｂ仕様、Ｃ仕様を特定する暗号を機器２１５とは別に販売する。販売会社または設置現場において、設定器４０は、電力送信および信号通信手段４１により、電子タグ２１に電力を送るとともに暗号２１４を設定する。機器２１５は設置工事・電源工事終了し、運転開始時に、電子タグ２１から電子タグ情報読み取り手段２０を介して電子タグ２１に記憶された暗号２１４を読み出し、不揮発性記憶手段５２に記憶された製造番号２１３と解読プログラム２１２とから暗号がどの制御プログラム２１０を指定しているかを解読し、指定された制御プログラム２１０を実行する。
この実施の形態１５によれば、電子タグ装着手段に電子タグに記憶された仕様内容が記載されているので、電子タグの装着と同時に仕様が明確化され、別途仕様表を貼る必要がないと同時に電子タグ配送時の仕様誤り、電子タグ貼り付け時の仕様誤りが防止できる。また、空気調和機の機器と暗号を別売する空気調和機のビジネスシステムを構築することで、空気調和機のビジネスチャンスを拡大することができる。
【００２４】
実施の形態１６．
図１９はこの発明の実施の形態１６に係る電子タグを示す図である。
電子タグ２１を装着する電子タグ装着手段２２には、電子タグ２１に記憶された仕様内容が印字されており、電子タグ２１を装着すると同時にその仕様内容も表示される。
この実施の形態１５によれば、電子タグ装着手段には、電子タグに記憶された仕様内容が印字されているので、電子タグの装着と同時にその仕様内容が表示され、別途仕様表を貼る必要がないと同時に電子タグ配送時の仕様誤り、電子タグ貼り付け時の仕様誤りが防止できる。
【図面の簡単な説明】
【００２５】
【図１】この発明の実施の形態１に係る空気調和機の構成を示すブロック図である。
【図２】この発明の実施の形態１に係る空気調和機の冷媒回路図である。
【図３】この発明の実施の形態１に係る空気調和機の能力可変範囲の表である。
【図４】この発明の実施の形態３に係る空気調和機の能力可変範囲および暗号の関係表である。
【図５】この発明の実施の形態５に係る空気調和機の一部構成を示すブロック図である。
【図６】この発明の実施の形態６に係る空気調和機の一部構成を示すブロック図である。
【図７】この発明の実施の形態７に係る空気調和機の一部構成を示すブロック図である。
【図８】この発明の実施の形態８に係る空気調和機の一部構成を示すブロック図である。
【図９】この発明の実施の形態９に係る空気調和機の一部構成を示すブロック図である。
【図１０】この発明の実施の形態１０に係る空気調和機のビジネスシステムを示すブロック図である。
【図１１】この発明の実施の形態１１に係る空気調和機のビジネスシステムを示すブロック図である。
【図１２】この発明の実施の形態１２に係る空気調和機の構成を示すブロック図である。
【図１３】この発明の実施の形態１２に係る空気調和機の動作フローチャートである。
【図１４】この発明の実施の形態１４に係る制御プログラムと暗号の関係表である。
【図１５】この発明の実施の形態１４に係る空気調和機の一部構成を示すブロック図である。
【図１６】この発明の実施の形態１４に係る空気調和機の機器と電子タグを別売する空気調和機のビジネスシステムを示すブロック図である。
【図１７】この発明の実施の形態１５に係る電子タグを装着した機器と暗号を販売するビジネスシステムを示すブロック図である。
【図１８】この発明の実施の形態１５に係る機器へ暗号を設定するシステム図である。
【図１９】この発明の実施の形態１６に係る電子タグを示す図である。
【符号の説明】
【００２６】
１  制限信号発生装置、２  接続コネクタ、３  コントローラ側の接続コネクタ、４  コントローラ、５  インバータ、６  能力可変型の圧縮機、１０  室外熱交換器、１１  四方弁、１２  室外機、１３  冷媒配管、１４  室内機、１５  室内熱交換器、１６  冷媒流量制御手段、２０  電子タグ情報読み取り手段、２１  電子タグ、２２  電子タグ装着手段、３０  パーソナルコンピュータ、３１  通信回線、４０  設定器、４１  電力送信および信号通信手段、４２  信号通信手段、４３  太陽電池、５０  能力設定手段、５１  通信媒体、５２  不揮発性記憶手段、２００  最大能力値表、２０２  最大能力値と製造番号から暗号を演算する演算式、２０３  製造番号、２０４  最大能力値と製造番号と演算式から演算された暗号、２０５  最大能力値表の最小値以外の能力値と製造番号とから一義的に決定される暗号、２１０  制御プログラム、２１２  制御プログラムと製造番号から暗号を演算する演算式、２１３  製造番号、２１４  制御プログラムと製造番号と演算式から演算された暗号、２１５  機器。
【図１】
2005134008.tif 000003
【図２】
2005134008.tif 000004
【図３】
2005134008.tif 000005
【図４】
2005134008.tif 000006
【図５】
2005134008.tif 000007
【図６】
2005134008.tif 000008
【図７】
2005134008.tif 000009
【図８】
2005134008.tif 000010
【図９】
2005134008.tif 000011
【図１０】
2005134008.tif 000012
【図１１】
2005134008.tif 000013
【図１２】
2005134008.tif 000014
【図１３】
2005134008.tif 000015
【図１４】
2005134008.tif 000016
【図１５】
2005134008.tif 000017
【図１６】
2005134008.tif 000018
【図１７】
2005134008.tif 000019
【図１８】
2005134008.tif 000020
【図１９】
2005134008.tif 000021